(57)【要約】【課題】鬱血、痒み、痛み等の問題を生じさせることなく「クッション材の位置ずれ」という問題を好適に回避することができ、かつ、汎用性の高い防塵衣を提供する。【解決手段】両膝部分に、ニーパッド４用のポケット２がそれぞれ取り付けられており、ポケット２の下側に自由縁部２ｂ（防塵衣１に対して固定されていない縁部）が形成されている。この自由縁部２ｂは、着用者が適正なサイズのブーツ５を履いた際に、ポケット２内に収納されたニーパッド４の下部を、ブーツ５の履き口５ａの外側に配置させることができる程度の大きさに形成されている。【選択図】図１
2009133013.tif 000002
【特許請求の範囲】
【請求項１】
両膝部分にニーパッド用のポケットがそれぞれ取り付けられており、当該ポケットの下側に自由縁部が形成されていることを特徴とする防塵衣。
【請求項２】
前記自由縁部は、着用者が適正なサイズのブーツを履いた際に、前記ポケット内に収納されたニーパッドの下部を、当該ブーツの履き口の外側に配置させることができる程度の大きさに設定されていることを特徴とする、請求項１に記載の防塵衣。
【発明の詳細な説明】
【技術分野】
【０００１】
本発明は、クリーンルーム用の防塵衣に関し、特に、膝部分にニーパッド用のポケットを有する防塵衣に関する。
【背景技術】
【０００２】
従来より、半導体をはじめとする精密機械の製造は、室内空間が常に高い清浄度に維持されるように構成されたクリーンルームにおいて行われている。作業者がそのようなクリーンルーム内に入室する際には、人体或いは着衣から生じる塵埃の飛散を防止できるように、通常、防塵衣が着用される。
【特許文献１】特開２００６−１５２４８１号公報
【特許文献２】特開平１０−１６８６２０号公報
【特許文献３】特開平１０−０２５６１３号公報
【特許文献４】特開平０８−０４９１０９号公報
【発明の開示】
【発明が解決しようとする課題】
【０００３】
クリーンルームの床は、硬質の材料（例えば、アルミ製のグレーチング）によって形成されていることが多いが、クリーンルーム内で作業者が床面に膝を付いて作業を行わなければならないような場合には、作業者の負担が大きい。このため、適宜、スポーツ用のニーパッド（膝関節用のサポーターにクッション材を縫いつけたもの等）を装着した上で防塵衣を着用するなどの工夫がされている。
【０００４】
しかしながら、スポーツ用のニーパッドは、長時間の作業には適しておらず、様々な問題がある。例えば、長時間着用し続けると、位置がずれてしまうことがあり、位置を修正しながら作業を行わなければならないとすると、作業効率の低下を招いてしまう。また、位置がずれないように、比較的タイトなものを選定した場合、鬱血して、痒みや痛みが生じてしまうことがある。
【０００５】
尚、最初から着用者の膝頭に相応する位置にクッション材が縫いつけられた防塵衣を用いれば、上記のようなスポーツ用のニーパッドを流用することによる問題点はそもそも生じない、とも考えられるが、股から膝頭までの寸法には個人差があるため、防塵衣の膝部分にクッション材を縫いつけてしまった場合、ある作業者が着用した場合には膝頭の位置とクッション材の位置が一致するが、他の作業者が着用した場合にはそれらが一致しない、というような事態が生じかねない。つまり、その防塵衣の汎用性が低くなってしまい、好適に着用できる作業者の範囲が狭くなってしまう可能性がある。
【０００６】
また、床面に膝をつく必要がない作業に用いる場合、縫いつけられたクッション材が邪魔になってしまうという問題もある。
【０００７】
本発明は、上記のような問題を解決すべくなされたものであって、鬱血、痒み、痛み等の問題を生じさせることなく「クッション材の位置ずれ」という問題を好適に回避することができ、かつ、汎用性の高い防塵衣を提供することを目的とする。
【課題を解決するための手段】
【０００８】
本発明の防塵衣は、両膝部分にニーパッド用のポケットがそれぞれ取り付けられており、当該ポケットの下側に自由縁部（防塵衣に対して固定されていない縁部）が形成されていることを特徴としている。
【０００９】
尚、自由縁部は、着用者が適正なサイズのブーツを履いた際に、ポケット内に収納されたニーパッドの下部を、当該ブーツの履き口の外側に配置させることができる程度の大きさに設定されていることが好ましい。
【発明の効果】
【００１０】
本発明の防塵衣は、長時間着用した場合であっても、着用者の膝頭を保護するためのニーパッド（クッション材）を常に適正な位置に保持することができ、かつ、鬱血、痒み、痛み等の不都合が生じることはなく、作業の安全性を確保することができる。また、着用対象となる複数の作業者間において、身体寸法の個人差に開きがある場合であっても、好適に対応することができる。
【発明を実施するための最良の形態】
【００１１】
以下、添付図面に沿って、本発明の実施形態について説明する。図１は、本発明に係る防塵衣１の前面図であり、図示されているように、この防塵衣１においては、両膝部分にポケット２，２がそれぞれ取り付けられている。ポケット２，２の上縁開口部２ａ，２ａの上方には、フラップ３，３が取り付けられている。通常、ポケット２，２の上縁開口部２ａ，２ａは、それらのフラップ３，３によってマスクされており、フラップ３，３をめくり上げると、上縁開口部２ａ，２ａが露呈するようになっている。
【００１２】
ポケット２，２は、図２に示すニーパッド（膝頭用クッション材）４を収納して防塵衣１の膝部分にニーパッド４を固定するためのものであり、クリーンルーム内で作業者が床面に膝を付いて作業を行わなければならないような場合には、ポケット２，２内にニーパッド４を収納して作業者の膝頭を保護し、また、それ以外の場合には、ニーパッド４をポケット２，２から取り出して防塵衣１を着用する、というように、必要に応じてニーパッド４の使用の有無を適宜選択することができる。
【００１３】
図３は、ポケット２の拡大図であり、この図からも明らかなように、ポケット２の下側には、防塵衣１に対して固定されていない自由縁部２ｂが形成されている。この自由縁部２ｂは、本実施形態においては２ｃｍ幅に設定されているが、必ずしもこの寸法には限定されず、１〜８ｃｍの範囲において自由に設定することができる。
【００１４】
尚、この自由縁部２ｂは袋状に閉じられており、ポケット２内に収納されたニーパッド４は、上縁開口部２ａを介してのみ出し入れが可能で、下方側、つまり、自由縁部２ｂからニーパッド４を出し入れすることはできない。
【００１５】
本発明の防塵衣１は、上記のような構成に係るものであるところ、「適正なサイズ」のクリーンルーム用ブーツ５（図４参照）と組み合わせて使用することにより、ポケット２内に収容したニーパッド４を適正な位置（着用者の膝頭に相応する位置）に保持することができ、「位置ずれ」の問題を好適に回避することができる。
【００１６】
尚、ここで「クリーンルーム用ブーツ５」についてに言う「適正なサイズ」とは、着用者がブーツ５を履き、直立した状態において、ブーツ５の履き口（上縁部分）５ａが着用者の膝蓋骨の下端から１０ｃｍ以内となるようなサイズを意味している。
【００１７】
そのような「適正なサイズ」のブーツ５と組み合わせて使用する場合、図５に示すように、ポケット２の下側に形成されている自由縁部２ｂ、及び、ポケット２内に収納されたニーパッド４の下部が、ブーツ５の履き口５ａの外側に位置するように調整する。そうすると、ポケット２の固定部分（防塵衣１の膝部分に対して固定されている部分）と自由縁部２ｂとの境界部が、ブーツ５の履き口５ａによって支持された状態となり、その結果、ポケット２、及び、その内部に収納されたニーパッド４は、下方への移動が規制されることになり、適正な位置に保持されることになる。
【００１８】
また、本発明の防塵衣１は、従来品のように、サポーター等による締め付けを行うことなくニーパッド４を保持できるので、長時間着用しても、鬱血、痒み、痛み等の不都合が生じることはなく、作業の安全性を確保することができる。
【００１９】
更に、適正なサイズのブーツ５と組み合わせて使用することによって、ニーパッド４を適正位置に保持できるため、一つのサイズの防塵衣１についての汎用性が高くなり、着用対象となる複数の作業者間において、身体寸法の個人差に開きがある場合であっても、好適に対応することができる。
【００２０】
尚、本実施形態においては、防塵衣１として、いわゆる「つなぎ服型」のものを例として説明したが、適用対象は「つなぎ服型」の防塵衣に限定されるものではなく、「２ピース型（上衣とズボンが分かれているタイプ）」の防塵衣に適用することもできる。
【図面の簡単な説明】
【００２１】
【図１】本発明に係る防塵衣１の前面図。
【図２】図１の防塵衣１のポケット２に収納されるニーパッド４の斜視図。
【図３】図１の防塵衣１のポケット２の拡大図。
【図４】図１の防塵衣１と組み合わせて使用されるべきクリーンルーム用ブーツ５の側面図。
【図５】図１の防塵衣１と図４のブーツ５を着用した状態を示す図。
【符号の説明】
【００２２】
１：防塵衣、
２：ポケット、
２ａ：上縁開口部、
２ｂ：自由縁部、
３：フラップ、
４：ニーパッド、
５：ブーツ、
５ａ：履き口
【図１】
2009133013.tif 000003
【図２】
2009133013.tif 000004
【図３】
2009133013.tif 000005
【図４】
2009133013.tif 000006
【図５】
2009133013.tif 000007